(57)【特許請求の範囲】
【請求項１】
複数の建物ユニットを組み付けて構築されるユニット建物であって、
前記建物ユニット上部には屋根部が設けられており、前記建物ユニットの前記屋根部の隣り合う部分には前記建物ユニットの屋根裏空間に連通する換気用の開口部が設けられており、前記換気用の開口部には、換気口を有する連棟カバーが設けられ、前記屋根部と前記連棟カバーにより一連の屋根が形成されているとともに、
前記連棟カバーの前記換気口は、前記換気用の開口部が設けられた部分において、通気経路を確保した状態に、前記連棟カバーが支持部材及びスペーサーを介して隣り合う前記建物ユニットに跨って取り付けられて形成されていることを特徴とするユニット建物。
【請求項２】
前記建物ユニットの軒先を形成する部分には軒先側換気口が設けられ、前記軒先側換気口と前記連棟カバーの換気口とは前記屋根裏空間を経由して連通されていることを特徴とする請求項１に記載のユニット建物。
【請求項３】
前記軒先側換気口は、前記建物ユニットの前記屋根部の外縁部分に雨樋設置用の切り欠きが設けられ、前記雨樋設置用の切り欠きに雨樋が設置され、前記雨樋を、その外側端部の係止部と前記建物ユニットの外壁部の上端部との間に通気経路を確保した状態にスペーサーを介して設置することで形成されていることを特徴とする請求項２に記載のユニット建物。
【請求項４】
複数の前記建物ユニットの前記屋根部に設けられた前記雨樋設置用の切り欠きに一連に跨る雨樋が設置されていることを特徴とする請求項３に記載のユニット建物。
【請求項５】
前記建物ユニットに前記屋根部が予め取り付けられていることを特徴とする請求項１乃至４のいずれか一項に記載のユニット建物。
【請求項６】
前記建物ユニットの前記屋根部の前記雨樋設置用の切り欠きが設けられた外縁部分に、雨樋設置用の差込部が形成されており、前記雨樋は、その端部の係止部が前記差込部へ差し込まれて設置されていることを特徴とする請求項３に記載のユニット建物。
【請求項７】
複数の前記建物ユニットに前記屋根部が予め取り付けられているとともに、前記屋根部に設けられた前記雨樋設置用の切り欠きに、これらの雨樋設置用の切り欠きの長さと略同一の長さの雨樋部材がそれぞれ予め取り付けられており、これらの雨樋部材間がジョイント部材により接続され、一連の雨樋とされていることを特徴とする請求項３に記載のユニット建物。
【請求項８】
前記建物ユニットの天井梁の上面に、当該天井梁より長い支持部材が取り付けられ、前記支持部材に前記屋根部が取り付けられるとともに、前記支持部材の張り出し部に、庇部が設けられていることを特徴とする請求項１乃至７のいずれか１項に記載のユニット建物。
【請求項９】
前記支持部材の前記張り出し部に、前記庇部が予め設けられており、前記庇部は、前記屋根部と同一な部材から成ることを特徴とする請求項８に記載のユニット建物。
【請求項１０】
前記建物ユニットの天井梁の上面に、前記屋根部が取り付けられるＬ字形を含む断面形状の支持部材が設けられていることを特徴とする請求項１乃至９のいずれか１項に記載のユニット建物。
【発明の詳細な説明】
【技術分野】
【０００１】
本発明は、複数の建物ユニットを組み付けて構築されるユニット建物に関するものである。
【背景技術】
【０００２】
従来、複数の建物ユニットを組み付けて構築されるユニット建物は、施工性の良さなどから多く実施されている。
【０００３】
このユニット建物は、さらに施工性をよくするために、これを構成する建物ユニットに予め屋根部を設けて実施することもなされる（例えば特許文献１等を参照）。
【特許文献１】実開昭６２−１１５４３７号公報
【発明の開示】
【発明が解決しようとする課題】
【０００４】
しかしながら、上記した従来のユニット建物では、屋根部を予め建物ユニットに設ける場合、屋根部間の雨仕舞い対策のみを考慮しただけの構成であるため、屋根裏空間における熱気充満防止や結露防止のために、同空間を効率的に換気することができなかった。
【０００５】
そこで、本発明は、屋根裏空間を効率的に換気することができるユニット建物を提供することを目的としている。
【課題を解決するための手段】
【０００６】
前記目的を達成するために、本発明のユニット建物は、複数の建物ユニットを組み付けて構築されるユニット建物であって、前記建物ユニット上部には屋根部が設けられており、前記建物ユニットの前記屋根部の隣り合う部分には前記建物ユニットの屋根裏空間に連通する換気用の開口部が設けられており、前記換気用の開口部には、換気口を有する連棟カバーが設けられ、前記屋根部と前記連棟カバーにより一連の屋根が形成されていることを特徴とする。
【０００７】
また、前記連棟カバーの前記換気口は、前記換気用の開口部が設けられた部分において、通気経路を確保した状態に、前記連棟カバーが支持部材及びスペーサーを介して隣り合う前記建物ユニットに跨って取り付けられて形成されていてもよい。
【０００８】
また、前記建物ユニットの軒先を形成する部分には軒先側換気口が設けられ、前記軒先側換気口と前記連棟カバーの換気口とは前記屋根裏空間を経由して連通されているとよい。
【０００９】
また、前記軒先側換気口は、前記建物ユニットの前記屋根部の外縁部分に雨樋設置用の切り欠きが設けられ、前記雨樋設置用の切り欠きに雨樋が設置され、前記雨樋を、その外側端部の係止部と前記建物ユニットの外壁部の上端部との間に通気経路を確保した状態にスペーサーを介して設置することで形成されていてもよい。
【００１０】
また、複数の前記建物ユニットの前記屋根部に設けられた前記雨樋設置用の切り欠きに一連に跨る雨樋が設置されていてもよい。
【００１１】
さらに、前記建物ユニットに前記屋根部が予め取り付けられているとよい。
【００１２】
また、前記建物ユニットの前記屋根部の前記雨樋設置用の切り欠きが設けられた外縁部分に、雨樋設置用の差込部が形成されており、前記雨樋は、その端部の係止部が前記差込部へ差し込まれて設置されていてもよい。
【００１３】
さらに、複数の前記建物ユニットに前記屋根部が予め取り付けられているとともに、前記屋根部に設けられた前記雨樋設置用の切り欠きに、これらの雨樋設置用の切り欠きの長さと略同一の長さの雨樋部材がそれぞれ予め取り付けられており、これらの雨樋部材間がジョイント部材により接続され、一連の雨樋とされていてもよい。
【００１４】
また、前記建物ユニットの天井梁の上面に、当該天井梁より長い支持部材が取り付けられ、前記支持部材に前記屋根部が取り付けられるとともに、前記支持部材の張り出し部に、庇部が設けられていてもよい。
【００１５】
さらに、前記支持部材の前記張り出し部に、前記庇部が予め設けられており、前記庇部は、前記屋根部と同一な部材から成っていてもよい。
【００１６】
また、前記建物ユニットの天井梁の上面に、前記屋根部が取り付けられるＬ字形を含む断面形状の支持部材が設けられていてもよい。
【発明の効果】
【００１７】
このように構成された本発明のユニット建物は、建物ユニット上部に屋根部が設けられており、建物ユニットの屋根部の隣り合う部分には建物ユニットの屋根裏空間に連通する換気用の開口部が設けられており、換気用の開口部には、換気口を有する連棟カバーが設けられ、屋根部と連棟カバーにより一連の屋根が形成された構成となっているため、連棟カバーの換気口により、効率的に屋根裏空間の換気を行うことができる。
【００１８】
ここで、連棟カバーの前記換気口が、換気用の開口部が設けられた部分において、通気経路を確保した状態に、連棟カバーが支持部材及びスペーサーを介して隣り合う建物ユニットに跨って取り付けられて形成されている場合は、連棟カバーの換気口を簡易に構成することができるので、施工性がよい。
【００１９】
また、建物ユニットの軒先を形成する部分には軒先側換気口が設けられ、軒先側換気口と連棟カバーの換気口とは屋根裏空間を経由して連通されている場合は、軒先側換気口と連棟カバーの換気口とにより屋根裏空間内の空気の給排気が行えるので、より効率的な屋根裏空間の換気を行うことができる。
【００２０】
また、軒先側換気口が、建物ユニットの屋根部の外縁部分に雨樋設置用の切り欠きが設けられ、雨樋設置用の切り欠きに雨樋が設置され、雨樋を、その外側端部の係止部と建物ユニットの外壁部の上端部との間に通気経路を確保した状態にスペーサーを介して設置することで形成されている場合は、雨樋が軒先に突出しないので、意匠的外観がよいうえに、軒先側換気口を簡易に構成することができるので、施工性がよい。
【００２１】
また、複数の建物ユニットの屋根部に設けられた雨樋設置用の切り欠きに一連に跨る雨樋が設置されている場合は、雨樋を複数の建物ユニットに対して一度に設置することができるので、施工性がよい。
【００２２】
さらに、建物ユニットに屋根部が予め取り付けられている場合は、後付けの手間が省けるので、より施工性がよい。
【００２３】
また、建物ユニットの屋根部の雨樋設置用の切り欠きが設けられた外縁部分に、雨樋設置用の差込部が形成されており、雨樋は、その端部の係止部が差込部へ差し込まれて設置されている場合は、雨樋を、屋根部との間の連続した防水性を確保したうえで、容易に設置することができる。
【００２４】
さらに、複数の建物ユニットに屋根部が予め取り付けられているとともに、屋根部に設けられた雨樋設置用の切り欠きに、これらの雨樋設置用の切り欠きの長さと略同一の長さの雨樋部材がそれぞれ予め取り付けられており、これらの雨樋部材間がジョイント部材により接続され、一連の雨樋とされている場合は、後付けする部材点数が減るため、さらにより施工性がよい。
【００２５】
また、建物ユニットの天井梁の上面に、天井梁より長い支持部材が取り付けられ、支持部材に屋根部が取り付けられるとともに、支持部材の張り出し部に、庇部が設けられている場合は、庇部のための支持構造を別途設ける必要がないため、庇部を簡易に取り付けることができる。
【００２６】
さらに、支持部材の張り出し部に、庇部が予め設けられており、庇部は、屋根部と同一な部材から成る場合は、さらにより施工性がよいうえに、屋根部と庇部とに一体感が有り、意匠的外観をよくすることができる。
【００２７】
また、建物ユニットの天井梁の上面に、屋根部が取り付けられるＬ字形を含む断面形状の支持部材が設けられている場合は、部材の共通化を図ることができ、経済的に実施できるうえに、増改築時における施工性もよい。
【発明を実施するための最良の形態】
【００２８】
以下、本発明の最良の実施の形態について図面に基づいて説明する。
【００２９】
本実施の形態のユニット建物１は、図１に示したように、建物ユニット２Ａ，２Ｂを桁方向に並べ、これらの建物ユニット２Ａ，２Ｂの右妻側に建物ユニット２Ｃを妻方向に並べて、これらの建物ユニット２Ａ，２Ｂ，２Ｃを組み付けて構築されたユニット建物である。
【００３０】
これらの建物ユニット２（２Ａ，２Ｂ，２Ｃ）の上部には、図２に示したように、枠材３１，３１に複数の垂る木３２，・・・を横架して成るパネル枠３３に野地板３４を貼り付け、さらに屋根仕上げ材３５を重ね貼りして構成される屋根部３が工場等で予め取り付けられている。
【００３１】
また、図３に示したように、建物ユニット２Ａ，２Ｂ，２Ｃの屋根部３，・・の隣り合う部分には、建物ユニット２Ａ，２Ｂ，２Ｃの屋根裏空間Ｓに連通する換気用の開口部４Ａ，４Ｂ，４Ｃが予め設けられている（図４も参照）。
【００３２】
さらに、図１に示したように、換気用の開口部４Ａ，４Ｂ，４Ｃを跨って長尺の連棟カバー５が設けられている。
【００３３】
ここで、図４に示したように、隣り合う建物ユニット２Ａ，２Ｂ，２Ｃの換気用の開口部４Ａ，４Ｂ，４Ｃが設けられた部分において、建物ユニット２Ａ，２Ｂ，２Ｃの各天井梁７の上に、支持部材としての短尺の溝形鋼８が等間隔で複数設けられている。
【００３４】
さらに、これら複数の溝形鋼８，・・・の上側のフランジ部８ａ，・・・の上に、中心部に鉛直方向に貫通したスリット状の孔９ａを有する支持部材としての長尺の断面山形状の受け材９が設けられている。
【００３５】
そして、長尺の断面山形状の受け材９の左右の傾斜面に、等間隔に複数配置したスペーサー１０，・・・を介して長尺の連棟カバー５が長ビス１１，・・・で取り付けられて換気口６が形成されている。
【００３６】
また、長尺の連棟カバー５の左右の下端部の内側面には、水返し材１２がリベット１３，・・・で固定されて、それぞれ設けられている。
【００３７】
さらに、左右の屋根仕上げ材３５の端部には固定板１６が垂直に立ち上げられてそれぞれ設けられており、これらの固定板１６に水返しシート１７がそれぞれ設けられ、これら水返しシート１７，１７の上端部は受け材９の左右の傾斜面にそれぞれ止着され、下端部は受け材９の左右の底面にそれぞれ止着されている。
【００３８】
また、図３に示したように、建物ユニット２Ａ，２Ｂにおける各屋根部３の外縁部分には、矩形の雨樋設置用の切り欠き１４がそれぞれ設けられている。
【００３９】
そして、図１に示したように、これらの雨樋設置用の切り欠き１４，１４に一連に跨って、一端に縦樋１５Ａを有する雨樋１５が設置されている。
【００４０】
ここで、図５に示したように、雨樋１５の内側端部の係止部１５ｂは、屋根仕上げ材３５の左側端部の下面に設けた止水材１８を介して取り付けられている。
【００４１】
また、雨樋１５の外側端部の係止部１５ａは、建物ユニット２Ａ，２Ｂの外壁部１９の上端部及び天井梁７の上に等間隔で複数設けられた支持部材としての溝形鋼２２，・・・の上側のフランジ部２２ａ，・・・との間に、等間隔で複数配置したスペーサー２０，・・・を介して取り付けられている。
【００４２】
こうして、雨樋１５が設置されているとともに、軒先側換気口２１が形成されている。
【００４３】
また、雨樋１５の下側には、水返しシート２６及び断面Ｌ字形の止水部材２７が設けられ、防水性能が高められている。
【００４４】
さらに、溝形鋼２２の上側フランジ部２２ａからも、水切り材２８が下向き方向に設けられている。
【００４５】
また、外壁部１９の上端には、断面Ｌ字形の水返し材２３が設けられているとともに、雨樋１５の外側端部の係止部１５ａの上面から化粧材２４がビス２５，・・・で取り付けられている。
【００４６】
このようにして、図１に示したように、一連の屋根３０が形成されている。
【００４７】
このように構成された本発明のユニット建物１は、建物ユニット２Ａ，２Ｂ，２Ｃの上部に屋根部３が設けられており、建物ユニット２Ａ，２Ｂ，２Ｃの屋根部３，・・の隣り合う部分には建物ユニット２Ａ，２Ｂ，２Ｃの屋根裏空間Ｓに連通する換気用の開口部４Ａ，４Ｂ，４Ｃが設けられており、換気用の開口部４Ａ，４Ｂ，４Ｃには、換気口６を有する連棟カバー５が設けられ、屋根部３，・・と連棟カバー５により一連の屋根が形成された構成となっているため、連棟カバー５の換気口６により、効率的に屋根裏空間Ｓの換気を行うことができる。
【００４８】
ここで、連棟カバー５の換気口６が、換気用の開口部４Ａ，４Ｂ，４Ｃが設けられた部分において、通気経路を確保した状態に、連棟カバー５が支持部材としての溝形鋼８，・・・と受け材９及びスペーサー１０，・・・を介して建物ユニット２Ａ，２Ｂ，２Ｃに跨って取り付けられて形成されているので、連棟カバー５の換気口６を簡易に構成することができ、施工性がよい。
【００４９】
また、建物ユニット２Ａ，２Ｂの軒先を形成する部分には軒先側換気口２１が設けられ、軒先側換気口２１と連棟カバー５の換気口６とは屋根裏空間Ｓを経由して連通されているので、軒先側換気口２１と連棟カバー５の換気口６とにより屋根裏空間Ｓ内の空気の給排気が行えるため、より効率的な屋根裏空間Ｓの換気を行うことができる。
【００５０】
ここで、軒先側の換気口２１を、連棟カバー５の換気口６よりも開口面積を相対的に大きくした場合、屋根裏空間Ｓ内は、通常、外気より気温が高いので、気圧の関係から、軒先側の換気口２１が吸気側の換気口となり、連棟カバー５の換気口６が排気側の換気口となって、さらにより効率的な屋根裏空間Ｓの換気を行うことができる。
【００５１】
図１、図４及び図５において、点線Ｗで表した矢印が、そのときの空気の流れを示している。
【００５２】
また、軒先側換気口２１が、建物ユニット２Ａ，２Ｂの屋根部３，３の外縁部分に雨樋設置用の切り欠き１４，１４が設けられ、雨樋設置用の切り欠き１４，１４に雨樋１５が設置され、雨樋１５を、その外側端部の係止部１５ａと建物ユニット２Ａ，２Ｂの外壁部１９の上端部との間に通気経路を確保した状態にスペーサー２０，・・・を介して設置することで形成されているので、雨樋１５が軒先に突出しないため、意匠的外観がよいうえに、軒先側換気口２１を簡易に構成することができ、施工性がよい。
【００５３】
また、建物ユニット２Ａ，２Ｂの屋根部３，３に設けられた雨樋設置用の切り欠き１４，１４に一連に跨る雨樋１５が設置されているので、雨樋１５を２つの建物ユニット２Ａ，２Ｂに対して一度に設置することができ、施工性がよい。
【００５４】
そのうえ、建物ユニット２Ａ，２Ｂに雨樋を個々に設ける場合に比べて、縦樋の数を低減できる。
【００５５】
さらに、各建物ユニット２Ａ，２Ｂ，２Ｃには屋根部３が工場等で予め取り付けられているので、後付けの手間が省けて、より施工性がよい。
【実施例１】
【００５６】
以下、前記した実施の形態の実施例１について、図６に基づいて説明する。なお、前記実施の形態で説明した内容と同一乃至均等な部分の説明については同一符号を付して説明する。
【００５７】
この実施例１では、図６に示したように、隣り合う建物ユニット２Ａ，２Ｂ，２Ｃの換気用の開口部４Ａ，４Ｂ，４Ｃが設けられた部分において、建物ユニット２Ａ，２Ｂ，２Ｃの各天井梁７の上に、ウェブ部８０ｂに複数の通気孔８０ｃ，・・・を有する支持部材としての長尺の溝形鋼８０が設けられている。
【００５８】
さらに、この溝形鋼８０の上側のフランジ部８０ａの上に、中心部に鉛直方向に貫通したスリット状の孔９ａを有する支持部材としての長尺の断面山形状の受け材９が設けられている。
【００５９】
そして、長尺の断面山形状の受け材９の左右の傾斜面に、等間隔に複数配置したスペーサー１０，・・・を介して長尺の連棟カバー５が長ビス１１，・・・で取り付けられて換気口６が形成されている。
【００６０】
すなわち、長尺の断面山形状の受け材９を支持する支持部材がウェブ部８０ｂに複数の通気孔８０ｃ，・・・を有する長尺の溝形鋼８０であるとともに、屋根部３を構成する野地板３４と屋根仕上げ材３５の端部が溝形鋼８０のウェブ部８０ｂの位置まで設けられていることが、図４に示した前記実施の形態と主に異なる。
【００６１】
なお、他の構成及び効果については、前記実施の形態と略同様であるので説明を省略する。
【実施例２】
【００６２】
以下、前記した実施の形態の実施例２について、図７に基づいて説明する。なお、前記実施の形態で説明した内容と同一乃至均等な部分の説明については同一符号を付して説明する。
【００６３】
この実施例２では、図７に示したように、雨樋１５は、その内側端部の係止部１５ｂが、屋根仕上げ材３５の左側端部の下面に設けた止水材１８を介して取り付けた雨樋設置用の差込部としての長尺の差込部材４２の凹部へ差し込まれて設置されている。
【００６４】
ここで、差込部材４２の凹部内には、止水材４２ａが設けられており、雨樋１５の係止部１５ｂを挟持して、防水性を確保している。
【００６５】
すなわち、建物ユニット２Ａの屋根部３の雨樋設置用の切り欠き１４が設けられた外縁部分に、雨樋設置用の止水材４２ａを備えた差込部材４２が設けられており、雨樋１５は、その内側端部の係止部１５ｂが差込部材４２の凹部へ差し込まれて設置されているので、雨樋１５を、屋根部３との間の連続した防水性を確保したうえで、容易に設置することができることが、図５に示した前記実施の形態と主に異なる。
【００６６】
なお、他の構成及び効果については、前記実施の形態と略同様であるので説明を省略する。
【実施例３】
【００６７】
以下、前記した実施の形態の実施例３について、図８及び図９に基づいて説明する。なお、前記実施の形態で説明した内容と同一乃至均等な部分の説明については同一符号を付して説明する。
【００６８】
この実施例３では、図８に示したように、建物ユニット２Ａ，２Ｂにおける工場などで予め取り付けられた各屋根部３の外縁部分にそれぞれ設けられた矩形の雨樋設置用の切り欠きに、これらの切り欠きと略同一の長さの雨樋部材１５０ａも、工場などでそれぞれ予め取り付けられている。
【００６９】
そして、これらの雨樋部材１５０ａ，１５０ａ間は、図９（ａ）〜（ｃ）に示したように、後付けで、ジョイント部材１５０ｂを、ボルト３６，・・・及びナット３７，・・・により水密性を確保して固定され、一連の雨樋１５０とされている。
【００７０】
また、ジョイント部材１５０ｂの外側端部側には、縦樋１５０Ａが設けられている。
【００７１】
さらに、建物ユニット２Ａ，２Ｂの屋根部３，３間の隙間は、これらの屋根部３と同一の材質から成る屋根材３ａにより塞がれて、水密性が確保されている。
【００７２】
すなわち、建物ユニット２Ａ，２Ｂに各屋根部３が予め取り付けられているとともに、各屋根部３に設けられた雨樋設置用の切り欠きに、これらの雨樋設置用の切り欠きの長さと略同一の長さの雨樋部材１５０ａもそれぞれ予め取り付けられており、これらの雨樋部材１５０ａ，１５０ａ間がジョイント部材１５０ｂにより接続され、一連の雨樋１５０とされている。
【００７３】
このため、後付けするのはジョイント部材１５０ｂ及び縦樋１５０Ａだけとなるため、さらにより施工性がよいことが、図１に示した前記実施の形態と主に異なる。
【００７４】
なお、他の構成及び効果については、前記実施の形態と略同様であるので説明を省略する。
【実施例４】
【００７５】
以下、前記した実施の形態の実施例４について、図１０〜図１４に基づいて説明する。なお、前記実施の形態で説明した内容と同一乃至均等な部分の説明については同一符号を付して説明する。
【００７６】
この実施例４では、図１０に示したように、建物ユニット２Ｃの右桁側に庇部３８が設けられている。
【００７７】
この庇部３８は、屋根部３と同様に、野地板３４に屋根仕上げ材３５を重ね貼りしており（図１４を参照）、図１１に示したように、工場などで、建物ユニット２Ｃの天井梁７の上面に、天井梁７より長い支持部材としての鋼製受け材３９が取り付けられ、この鋼製受け材３９に屋根部３が取り付けられるとともに、鋼製受け材３９の張り出し部３９ａに、予め設けられている。
【００７８】
ここで、鋼製受け材３９は、屋根部３を取り付ける部分がＬ字形断面であり、その両端に固定片４１，４１が形成されており、固定片４１，４１を介して、ボルト４０，・・・により、天井梁７の上面に取り付けられる。
【００７９】
また、鋼製受け材３９の一方の端部には、溝形鋼が溶接などにより接合されて張り出し部３９ａが形成されている。
【００８０】
勿論、庇部３８は、後付けで設けてもよい。
【００８１】
さらに、図１２に示したように、隣り合う建物ユニット２Ａ，２Ｂの間では、天井梁７のフランジ部の上面に、垂る木３２の端部の段差の形状に沿ったＬ字形を含む断面形状の支持部材としてのＬ字形断面の枠材３１Ａが、ボルト及びナットによりそれぞれ設けられている。
【００８２】
また、図１３に示したように、雨樋１５の外側端部の係止部１５ａは、建物ユニット２Ａ，２Ｂの外壁部１９の上端部及び天井梁７の上に設けられたＬ字形を含む断面形状の支持部材としてのＬ形鋼４３ＢとＬ形鋼４３Ａとをウェブ部で溶接などにより接合した溝形部材４３の上側のフランジ部４３ａとの間に、等間隔で複数配置したスペーサー２０，・・・を介して取り付けられている。
【００８３】
ここで、Ｌ形鋼４３Ｂには、枠材３１Ａと同一のＬ字形断面の部材が用いられている。
【００８４】
さらに、建物ユニット２Ｃの右桁側の庇部３８が設けられた部分では、天井梁７のフランジ部の上面に、垂る木３２の端部の段差の形状に沿ったＬ字形を含む断面形状の支持部材としてのＬ字形断面の枠材３１Ａが、ボルト及びナットにより設けられている。
【００８５】
そして、Ｌ字形断面の枠材３１Ａの外側の立ち上がり部に、ボルト及びナットにより、庇部３８の垂る木４４及び軒天井板４６を支持するＬ字形を含む断面形状の支持部材としてのＷ字形断面の鋼製受け部材４５が接合されている。
【００８６】
なお、この実施例４では、枠材３１Ａを、天井梁７のフランジと接する部分をこれと略同一の幅のＬ字形断面としたが、これに限定されず、例えば、垂る木３２の下部まで延長したＷ字形断面などで実施してもよい。
【００８７】
すなわち、建物ユニット２Ｃの天井梁７の上面に、天井梁７より長い支持部材としての鋼製受け材３９が取り付けられ、鋼製受け材３９に屋根部３が取り付けられるとともに、鋼製受け材３９の張り出し部３９ａに、庇部３８が設けられているので、庇部３８のための支持構造を別途設ける必要がないため、庇部３８を簡易に取り付けることができる。
【００８８】
また、鋼製受け材３９の張り出し部３９ａに、庇部３８が予め設けられており、庇部３８は、屋根部３と同一な部材から成るので、さらにより施工性がよいうえに、屋根部３と庇部３８とに一体感が有り、意匠的外観をよくすることができる。
【００８９】
さらに、鋼製受け材３９は、庇部３８の有無によって、張り出し部３９ａの有無を決めればよく、部材の共通化を容易に図ることができ、経済的に実施できる。
【００９０】
また、建物ユニット２Ａ，２Ｂ，２Ｃの天井梁７の上面に、屋根部３が取り付けられるＬ字形を含む断面形状の支持部材としてのＬ字形断面の枠材３１Ａが設けられており、Ｌ形鋼４３Ｂにも、枠材３１Ａと同一のＬ字形断面の部材が用いられているので、ここでも部材の共通化を図ることができ、経済的に実施できる。
【００９１】
そのうえ、天井梁７の上面に、屋根部３が取り付けられる枠材３１Ａが設けられた共通の構造であるため、増改築時における施工性もよい。
【００９２】
これらのことが、図１に示した前記実施の形態と主に異なる。
【００９３】
なお、他の構成及び効果については、前記実施の形態と略同様であるので説明を省略する。
【００９４】
以上、図面を参照して、本発明の最良の実施の形態を詳述してきたが、具体的な構成は、この実施の形態及び実施例１〜４に限らず、本発明の要旨を逸脱しない程度の設計的変更は、本発明に含まれる。
【００９５】
例えば、前記実施の形態及び実施例１〜４では、ユニット建物１として３つの建物ユニット２Ａ，２Ｂ，２Ｃを組み付けて構築したが、これに限定されず、より多くの建物ユニット２を用いて実施してもよい。
【００９６】
また、前記実施の形態及び実施例１〜４では、屋根裏換気のことを簡単に説明するために、平屋のユニット建物１を適用したが、２階以上のユニット建物でも同様に実施することができる。
【図面の簡単な説明】
【００９７】
【図１】本発明の最良の実施の形態のユニット建物の概略構成を示す平面図である。
【図２】図１のユニット建物を構成する建物ユニットの概略構成を示す説明図である。
【図３】図１において、連棟カバーと雨樋を設けていない状態の概略構成を示す平面図である。
【図４】図１のＡ−Ａ線矢視断面図である。
【図５】図１のＢ−Ｂ線矢視断面図である。
【図６】実施例１における図１のＡ−Ａ線矢視断面図である。
【図７】実施例２における図１のＢ−Ｂ線矢視断面図である。
【図８】実施例３のユニット建物の概略構成を示す平面図である。
【図９】（ａ）は（ｂ）においてジョイント部材及び屋根材を取り付ける前の状態を示す説明図であり、（ｂ）は図８のＣ部における拡大図であり、（ｃ）は（ｂ）のＤ−Ｄ線矢視断面図である。
【図１０】実施例４のユニット建物の概略構成を示す平面図である。
【図１１】実施例４における庇部の取付け構造の概略構成を示す斜視図である。
【図１２】図１０のＥ−Ｅ線矢視断面図である。
【図１３】図１０のＦ−Ｆ線矢視断面図である。
【図１４】図１０のＧ−Ｇ線矢視断面図である。
【符号の説明】
【００９８】
１      ユニット建物
２，２Ａ〜２Ｃ      建物ユニット
３      屋根部
Ｓ      屋根裏空間
４Ａ〜４Ｃ      換気用の開口部
５      連棟カバー
６      換気口
７      天井梁
３０    屋根
８，８０      溝形鋼（支持部材）
９      受け材（支持部材）
１０    スペーサー
１４    雨樋設置用の切り欠き
１５    雨樋
１５ａ，１５ｂ      係止部
１９    外壁部
２０    スペーサー
２１    軒先側換気口
１５０      雨樋
１５０ａ    雨樋部材
１５０ｂ    ジョイント部材
３８      庇部
３９      鋼製受け材（支持部材）
３９ａ    鋼製受け材（支持部材）の張り出し部
４２      差込部材（差込部）
３１Ａ    枠材（Ｌ字形を含む断面形状の支持部材）
４３Ｂ    Ｌ形鋼（Ｌ字形を含む断面形状の支持部材）
４５      鋼製受け部材（Ｌ字形を含む断面形状の支持部材）
【図１】
0005232591.tif 000002
【図２】
0005232591.tif 000003
【図３】
0005232591.tif 000004
【図４】
0005232591.tif 000005
【図５】
0005232591.tif 000006
【図６】
0005232591.tif 000007
【図７】
0005232591.tif 000008
【図８】
0005232591.tif 000009
【図９】
0005232591.tif 000010
【図１０】
0005232591.tif 000011
【図１１】
0005232591.tif 000012
【図１２】
0005232591.tif 000013
【図１３】
0005232591.tif 000014
【図１４】
0005232591.tif 000015